(57)【特許請求の範囲】
【請求項１】
複数の端末装置と可変のデータレートにて通信する無線装置であって、
一定の期間を複数の部分期間に分割し、複数の部分期間のそれぞれを複数の端末装置に対応づけながら割り当てる割当部と、
前記割当部において割り当てた複数の部分期間のそれぞれに、対応づけられた端末装置に送信すべきデータ信号を配置させ、かつデータ信号のうちの少なくともひとつに、端末装置との間の無線伝送路に関連したデータレート情報を当該端末装置に提供させるためのレート要求信号を含ませることによって、複数のＭＩＭＯ−ＯＦＤＭ方式のパケット信号を生成する生成部と、
前記生成部において生成した複数のＭＩＭＯ−ＯＦＤＭ方式のパケット信号を送信する手段と、ＭＩＭＯ−ＯＦＤＭ方式のパケット信号の送信後に複数の端末装置のうちの少なくともひとつからレート要求信号に対するデータレート情報を受信する手段とを含む通信部とを備え、
前記生成部は、少なくともひとつの系列にて、既知信号、データ信号の順に配置されるＭＩＭＯ−ＯＦＤＭ方式のパケット信号を形成させており、データ信号にレート要求信号を含める場合、データ信号が配置される系列の数以上の数の系列に既知信号を配置させ、
前記割当部は、前記生成部においてデータ信号にレート要求信号を含めるべき端末装置に対して、前記生成部においてデータ信号にレート要求信号を含めない端末装置に割り当てるべき部分期間よりも、前の部分期間を割り当てることを特徴とする無線装置。
【請求項２】
複数の端末装置と可変のデータレートにて通信する通信方法であって、
基地局装置が、一定の期間を複数の部分期間に分割し、複数の部分期間のそれぞれを複数の端末装置に対応づけながら割り当てるステップと、
基地局装置が、割り当てた複数の部分期間のそれぞれに、対応づけられた端末装置に送信すべきデータ信号を配置させ、かつデータ信号のうちの少なくともひとつに、端末装置との間の無線伝送路に関連したデータレート情報を当該端末装置に提供させるためのレート要求信号を含ませることによって、複数のＭＩＭＯ−ＯＦＤＭ方式のパケット信号を生成するステップと、
基地局装置が、生成した複数のＭＩＭＯ−ＯＦＤＭ方式のパケット信号を送信するステップと、
基地局装置が、ＭＩＭＯ−ＯＦＤＭ方式のパケット信号の送信後に複数の端末装置のうちの少なくともひとつからレート要求信号に対するデータレート情報を受信するステップとを備え、
前記生成するステップは、少なくともひとつの系列にて、既知信号、データ信号の順に配置されるＭＩＭＯ−ＯＦＤＭ方式のパケット信号を形成させており、データ信号にレート要求信号を含める場合、データ信号が配置される系列の数以上の数の系列に既知信号を配置させ、
前記割り当てるステップは、データ信号にレート要求信号を含めるべき端末装置に対して、データ信号にレート要求信号を含めない端末装置に割り当てるべき部分期間よりも、前の部分期間を割り当てることを特徴とする通信方法。
【請求項３】
複数の端末装置と、
複数の端末装置と可変のデータレートにて通信する基地局装置とを備え、
前記基地局装置は、
一定の期間を複数の部分期間に分割し、複数の部分期間のそれぞれを複数の端末装置に対応づけながら割り当てる割当部と、
前記割当部において割り当てた複数の部分期間のそれぞれに、対応づけられた端末装置に送信すべきデータ信号を配置させ、かつデータ信号のうちの少なくともひとつに、端末装置との間の無線伝送路に関連したデータレート情報を当該端末装置に提供させるためのレート要求信号を含ませることによって、複数のＭＩＭＯ−ＯＦＤＭ方式のパケット信号を生成する生成部と、
前記生成部において生成した複数のＭＩＭＯ−ＯＦＤＭ方式のパケット信号を送信する手段と、ＭＩＭＯ−ＯＦＤＭ方式のパケット信号の送信後に複数の端末装置のうちの少なくともひとつからレート要求信号に対するデータレート情報を受信する手段とを含む通信部とを備え、
前記生成部は、少なくともひとつの系列にて、既知信号、データ信号の順に配置されるＭＩＭＯ−ＯＦＤＭ方式のパケット信号を形成させており、データ信号にレート要求信号を含める場合、データ信号が配置される系列の数以上の数の系列に既知信号を配置させ、
前記割当部は、前記生成部においてデータ信号にレート要求信号を含めるべき端末装置に対して、前記生成部においてデータ信号にレート要求信号を含めない端末装置に割り当てるべき部分期間よりも、前の部分期間を割り当てることを特徴とする通信システム。
【発明の詳細な説明】
【技術分野】
【０００１】
本発明は、通信技術に関し、特にデータレートを調節しながら通信を実行する通信方法ならびにそれを利用した無線装置および通信システムに関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮ（Ｌｏｃａｌ  Ａｒｅａ  Ｎｅｔｗｏｒｋ）の標準化規格であるＩＥＥＥ８０２．１１ａ，ｇやＨＩＰＥＲＬＡＮ／２に適用されている。このような無線ＬＡＮにおけるパケット信号は、一般的に時間と共に変動する伝送路環境を介して伝送され、かつ周波数選択性フェージングの影響を受けるので、受信装置は一般的に伝送路推定を動的に実行する。
【０００３】
受信装置が伝送路推定を実行するために、パケット信号内に、２種類の既知信号が設けられている。ひとつは、パケット信号の先頭部分において、すべてのキャリアに対して設けられた既知信号であり、いわゆるプリアンブルやトレーニング信号といわれるものである。もうひとつは、パケット信号のデータ区間中に一部のキャリアに対して設けられた既知信号であり、いわゆるパイロット信号といわれるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，"Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ"，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００４】
ワイヤレス通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術にＭＩＭＯ（Ｍｕｌｔｉｐｌｅ  Ｉｎｐｕｔ  Ｍｕｌｔｉｐｌｅ  Ｏｕｔｐｕｔ）システムがある。当該ＭＩＭＯシステムは、送信装置と受信装置がそれぞれ複数のアンテナを備え、並列に送信されるべきパケット信号を設定する（以下、パケット信号において並列に送信されるべきデータ等のそれぞれを「系列」という）。すなわち、送信装置と受信装置との間の通信に対して、最大アンテナ数までの系列を設定することによって、データレートを向上させる。
【０００５】
さらに、このようなＭＩＭＯシステムに、ＯＦＤＭ変調方式を組み合わせると、データレートはさらに高速化される。ＭＩＭＯシステムにおいて、データの通信に使用すべきアンテナの数を増減することによって、データレートの調節も可能になる。さらに、適応変調の適用によって、データレートの調節がより詳細になされる。このようなデータレートの調節を確実に実行するために、送信装置は、受信装置から、受信装置との間の無線伝送路に適したデータレートに関する情報（以下、「レート情報」という）を取得すべきである。また、このようなレート情報の精度を高めるために、受信装置では、送信装置に含まれた複数のアンテナと、受信装置に含まれた複数のアンテナ間のそれぞれの伝送路特性を取得する方が望ましい。
【０００６】
以上のような要求において、レート情報の精度を向上させるために、伝送路特性の特性の取得が高い精度にてなされる必要がある。伝送路特性の取得の精度を向上させるために、送信装置あるいは受信装置は、すべてのアンテナから伝送路推定用の既知信号を送信する。以下、データが配置された系列の数に関係なく、複数の系列に配置される伝送路推定用の既知信号を「トレーニング信号」という。例えば、データがふたつの系列に配置されている場合であっても、トレーニング信号は４つの系列に配置される。
【０００７】
本発明者はこうした状況下、以下の課題を認識するに至った。基地局装置が複数の端末装置との通信を多重化する際に、ＣＳＭＡ（Ｃａｒｒｉｅｒ  Ｓｅｎｓｅ  Ｍｕｌｔｉｐｌｅ  Ａｃｃｅｓｓ）が実行される。さらに、伝送効率を向上させるために、所定の期間において、ひとつの基地局信号が帯域を占有し、複数のパケット信号を連続的に送信する。すなわち、基地局装置は、一部期間において、複数の端末装置のそれぞれに信号を送信すべきタイミング（以下、「送信タイミング」という）と、複数の端末装置のそれぞれからの信号を受信すべきタイミング（以下、「受信タイミング」という）を指定する。その際、基地局装置は、当該指定を複数の端末装置のそれぞれに通知し、複数の端末装置は、指定にしたがった処理を実行する（以下、このような処理を「割当モード」という）。
【０００８】
複数の端末装置のひとつは、送信タイミングの期間において、パケット信号を受信する。受信したパケット信号にトレーニング信号が配置されており、かつパケット信号の中にレート情報を要求する旨の指示（以下、「レート要求信号」という）が含まれていた場合、当該端末装置は、トレーニング信号をもとにレート情報を生成し、指定されたタイミングまでに基地局装置にレート情報を送信しなければならない。ここで、指定されたタイミングは、受信用タイミングの期間に含まれており、複数の端末装置のそれぞれに対して連続的に割り当てられている。このような状況下において、端末装置が受信を成功しても、指定されたタイミングまでにレート情報を生成できなければ、端末装置はレート情報を送信できない。その結果、レート情報の送信に遅延が発生し、基地局装置においても、以後の処理に遅延が発生する。
【０００９】
本発明はこうした状況に鑑みてなされたものであり、その目的は、レート情報を取得する際の処理遅延の増加を低減する通信技術を提供することにある。
【課題を解決するための手段】
【００１０】
上記課題を解決するために、本発明のある態様の無線装置は、複数の端末装置と可変のデータレートにて通信する無線装置であって、一定の期間を複数の部分期間に分割し、複数の部分期間のそれぞれを複数の端末装置に対応づけながら割り当てる割当部と、割当部において割り当てた複数の部分期間のそれぞれに、対応づけられた端末装置に送信すべきデータ信号を配置させ、かつデータ信号のうちの少なくともひとつに、端末装置との間の無線伝送路に関連した情報を当該端末装置に提供させるための要求信号を含ませることによって、少なくともひとつのパケット信号を生成する生成部と、生成部において生成したパケット信号を送信する手段と、パケット信号の送信後に複数の端末装置のうちの少なくともひとつから要求信号に対する応答を受信する手段とを含む通信部とを備える。割当部は、生成部においてデータ信号に要求信号を含めるべき端末装置に対して、複数の部分期間のうちの前方の部分期間を割り当てる。
【００１１】
「端末装置との間の無線伝送路に関連した情報」は、端末装置との間の無線伝送路に適したデータレートについての情報、推定された無線伝送路の値、推定されたノイズの値等を含み、無線伝送路によって影響を受ける情報であればよいものとする。この態様によると、複数の部分期間のうちの前方に、要求信号を送信すべき端末装置を配置させるので、当該端末装置が要求信号を受信してからその応答を生成するまでの期間を長くできる。
【００１２】
生成部は、ひとつのデータ信号をひとつのパケット信号に配置させながら、複数のパケット信号を生成してもよい。この場合、複数のパケット信号を連続的に送信する場合であっても、要求信号に対する応答の受信確率を向上できる。
【００１３】
生成部は、複数のデータ信号をひとつのパケット信号に配置させることによって、少なくともひとつのパケット信号を生成してもよい。この場合、少なくともひとつのパケット信号に複数の端末装置に対するデータ信号を含ませながら送信する場合であっても、要求信号に対する応答の受信確率を向上できる。
【００１４】
生成部は、少なくともひとつの系列にてパケット信号を形成させており、パケット信号のうちの少なくともひとつに対して、データ信号が配置される系列の数以上の数の系列に既知信号を配置させてもよい。この場合、データ信号が配置される系列の数以上の数の系列に既知信号を配置させるので、要求信号に対する応答の精度を向上できる。
【００１５】
本発明の別の態様は、通信方法である。この方法は、複数の端末装置と可変のデータレートにて通信する通信方法であって、一定の期間を複数の部分期間に分割し、複数の部分期間のそれぞれを複数の端末装置に対応づけながら割り当てるステップと、割り当てた複数の部分期間のそれぞれに、対応づけられた端末装置に送信すべきデータ信号を配置させ、かつデータ信号のうちの少なくともひとつに、端末装置との間の無線伝送路に関連した情報を当該端末装置に提供させるための要求信号を含ませることによって、少なくともひとつのパケット信号を生成するステップと、生成したパケット信号を送信するステップと、パケット信号の送信後に複数の端末装置のうちの少なくともひとつから要求信号に対する応答を受信するステップとを備える。割り当てるステップは、データ信号に要求信号を含めるべき端末装置に対して、複数の部分期間のうちの前方の部分期間を割り当てる。
【００１６】
生成するステップは、ひとつのデータ信号をひとつのパケット信号に配置させながら、複数のパケット信号を生成してもよい。生成するステップは、複数のデータ信号をひとつのパケット信号に配置させることによって、少なくともひとつのパケット信号を生成してもよい。生成するステップは、少なくともひとつの系列にてパケット信号を形成させており、パケット信号のうちの少なくともひとつに対して、データ信号が配置される系列の数以上の数の系列に既知信号を配置させてもよい。
【００１７】
本発明のさらに別の態様は、通信システムである。この通信システムは、複数の端末装置と、複数の端末装置と可変のデータレートにて通信する基地局装置とを備える。基地局装置は、一定の期間を複数の部分期間に分割し、複数の部分期間のそれぞれを複数の端末装置に対応づけながら割り当てる割当部と、割当部において割り当てた複数の部分期間のそれぞれに、対応づけられた端末装置に送信すべきデータ信号を配置させ、かつデータ信号のうちの少なくともひとつに、端末装置との間の無線伝送路に適したデータレートについての情報を当該端末装置に提供させるための要求信号を含ませることによって、少なくともひとつのパケット信号を生成する生成部と、生成部において生成したパケット信号を送信する手段と、パケット信号の送信後に複数の端末装置のうちの少なくともひとつから要求信号に対する応答を受信する手段とを含む通信部とを備える。割当部は、生成部においてデータ信号に要求信号を含めるべき端末装置に対して、複数の部分期間のうちの前方の部分期間を割り当てる。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、レート情報を取得する際の処理遅延の増加を低減できる。
【発明を実施するための最良の形態】
【００２０】
本発明を具体的に説明する前に、概要を述べる。本発明の実施例は、複数の無線装置によって構成されるＭＩＭＯシステムに関する。無線装置のうちのひとつは、基地局装置に相当し、残りは、受信装置に相当する。基地局装置は、基本的に複数の端末装置に対して、ＣＳＭＡを実行する。また、一定の期間にわたって、基地局装置は、割当モードを実行する。割当モードにおいて、複数の端末装置のうちの少なくともひとつにおけるレート情報を取得するために、基地局装置は、該当する端末装置に対して送信すべきパケット信号にトレーニング信号を配置させる。以下の説明において、トレーニング信号が配置されたパケット信号も「トレーニング信号」というものとする。また、基地局装置は、当該パケット信号にレート要求信号を含める。当該端末装置は、トレーニング信号からレート情報を生成し、指定されたタイミングにレート情報を基地局装置に送信する。しかしながら、当該端末装置が、指定されたタイミングまでにレート情報を生成できなければ、レート情報を送信できない。これに対応するために、実施例に係る基地局装置は、以下の処理を実行する。
【００２１】
なお、ここでは、特に、基地局装置がトレーニング信号を送信し、レート情報を受信する際の処理を説明する。そのため、端末装置におけるレート情報の決定処理や、レート情報による適応変調処理には、公知の技術を使用すればよく、ここでは説明を省略する。本実施例に係る基地局装置は、割当モードを実行する際に、送信タイミングの期間の前方のタイミングに、レート要求信号が含まれたトレーニング信号を送信すべき端末装置を割り当てる。一般的に、基地局装置から送信されるパケット信号は、端末装置から送信されるパケット信号よりも長い。そのため、送信タイミングの期間の前方のタイミングにてトレーニング信号を受信した方が、後方のタイミングにてトレーニング信号を受信するよりも、端末装置がパケット信号を送信すべきタイミングまでの期間が長くなる。その結果、レート情報を生成するための期間が長くなる。
【００２２】
図１は、本発明の実施例に係るマルチキャリア信号のスペクトルを示す。特に、図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ＭＩＭＯシステムには、サブキャリア番号「−２８」から「２８」までの５６サブキャリアが規定されている。なお、サブキャリア番号「０」は、ベースバンド信号における直流成分の影響を低減するため、ヌルに設定されている。一方、ＭＩＭＯシステムに対応していないシステム（以下、「従来システム」という）には、サブキャリア番号「−２６」から「２６」までの５２サブキャリアが規定されている。なお、従来システムの一例は、ＩＥＥＥ８０２．１１ａ規格に準拠した無線ＬＡＮである。また、複数のサブキャリアにて構成されたひとつの信号の単位であって、かつ時間領域のひとつの信号の単位は、「ＯＦＤＭシンボル」と呼ばれるものとする。
【００２３】
また、それぞれのサブキャリアは、可変に設定された変調方式によって変調されている。変調方式には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用される。
【００２４】
また、これらの信号には、誤り訂正方式として、畳み込み符号化が適用されている。畳み込み符号化の符号化率は、１／２、３／４等に設定される。さらに、並列に送信すべきデータの数は、可変に設定される。その結果、変調方式、符号化率、系列の数の値が可変に設定されることによって、データレートも可変に設定される。なお、「データレート」は、これらの任意の組合せによって決定されてもよいし、これらのうちのひとつによって決定されてもよい。従来システムにおいて、変調方式がＢＰＳＫであり、符号化率が１／２である場合、データレートは６Ｍｂｐｓになる。一方、変調方式がＢＰＳＫであり、符号化率が３／４である場合、データレートは９Ｍｂｐｓになる。
【００２５】
図２は、本発明の実施例に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。ここで、第１無線装置１０ａが、送信装置および基地局装置に対応し、第２無線装置１０ｂが、受信装置および端末装置に対応する。
【００２６】
通信システム１００の構成として、ＭＩＭＯシステムの概略を説明する。データは、第１無線装置１０ａから第２無線装置１０ｂに送信されているものとする。第１無線装置１０ａは、第１アンテナ１２ａから第４アンテナ１２ｄのそれぞれから、複数の系列のデータをそれぞれ送信する。その結果、データレートが高速になる。第２無線装置１０ｂは、第１アンテナ１４ａから第４アンテナ１４ｄによって、複数の系列のデータを受信する。さらに、第２無線装置１０ｂは、アダプティブアレイ信号処理によって、受信したデータを分離して、複数の系列のデータを独立に復調する。
【００２７】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。なお、第１無線装置１０ａから第２無線装置１０ｂに、トレーニング信号が送信されるものとする。また、第１無線装置１０ａと第２無線装置１０ｂとが逆になってもよい。
【００２８】
図３（ａ）−（ｃ）は、通信システム１００におけるパケットフォーマットを示す。図３（ａ）−（ｃ）は、トレーニング信号ではなく、通常のパケット信号のフォーマットを示す。ここで、図３（ａ）は、系列の数が「４」である場合に対応し、図３（ｂ）は、系列の数が「３」である場合に対応し、図３（ｃ）は、系列の数が「２」である場合に対応する。図３（ａ）では、４つの系列に含まれたデータが、送信の対象とされるものとし、第１から第４の系列に対応したパケットフォーマットが上段から下段に順に示される。
【００２９】
第１の系列に対応したパケット信号には、プリアンブル信号として「Ｌ−ＳＴＦ」、「ＨＴ−ＬＴＦ」等が配置される。「Ｌ−ＳＴＦ」、「Ｌ−ＬＴＦ」、「Ｌ−ＳＩＧ」、「ＨＴ−ＳＩＧ」は、従来システムに対応したＡＧＣ設定用の既知信号、伝送路推定用の既知信号、制御信号、ＭＩＭＯシステムに対応した制御信号にそれぞれ相当する。ＭＩＭＯシステムに対応した制御信号には、例えば、系列の数に関する情報やデータ信号の宛先が含まれている。「ＨＴ−ＳＴＦ」、「ＨＴ−ＬＴＦ」は、ＭＩＭＯシステムに対応したＡＧＣ設定用の既知信号、伝送路推定用の既知信号に相当する。一方、「データ１」は、データ信号である。なお、Ｌ−ＬＴＦ、ＨＴ−ＬＴＦは、ＡＧＣの設定だけでなく、タイミングの推定にも使用される。
【００３０】
また、第２の系列に対応したパケット信号には、プリアンブル信号として「Ｌ−ＳＴＦ（−５０ｎｓ）」と「ＨＴ−ＬＴＦ（−４００ｎｓ）」等が配置される。また、第３の系列に対応したパケット信号には、プリアンブル信号として「Ｌ−ＳＴＦ（−１００ｎｓ）」と「ＨＴ−ＬＴＦ（−２００ｎｓ）」等が配置される。また、第４の系列に対応したパケット信号には、プリアンブル信号として「Ｌ−ＳＴＦ（−１５０ｎｓ）」と「ＨＴ−ＬＴＦ（−６００ｎｓ）」等が配置される。
【００３１】
ここで、「−４００ｎｓ」等は、ＣＤＤ（Ｃｙｃｌｉｃ  Ｄｅｌａｙ  Ｄｉｖｅｒｓｉｔｙ）におけるタイミングシフト量を示す。ＣＤＤとは、所定の区間において、時間領域の波形をシフト量だけ後方にシフトさせ、所定の区間の最後部から押し出された波形を所定の区間の先頭部分に循環的に配置させる処理である。すなわち、「Ｌ−ＳＴＦ（−５０ｎｓ）」には、「Ｌ−ＳＴＦ」に対して、−５０ｎｓの遅延量にて循環的なタイミングシフトがなされている。なお、Ｌ−ＳＴＦとＨＴ−ＳＴＦは、８００ｎｓの期間の繰り返しによって構成され、その他のＨＴ−ＬＴＦ等は、３．２μｓの期間の繰り返しによって構成されているものとする。ここで「データ１」から「データ４」にもＣＤＤがなされており、タイミングシフト量は、前段に配置されたＨＴ−ＬＴＦでのタイミングシフト量と同一の値である。
【００３２】
また、第１の系列において、ＨＴ−ＬＴＦが、先頭から「ＨＴ−ＬＴＦ」、「−ＨＴ−ＬＴＦ」、「ＨＴ−ＬＦＴ」、「−ＨＴ−ＬＴＦ」の順に配置されている。ここで、これらを順に、すべての系列において「第１成分」、「第２成分」、「第３成分」、「第４成分」と呼ぶ。すべての系列の受信信号に対して、第１成分−第２成分＋第３成分−第４成分の演算を行えば、受信装置において、第１の系列に対する所望信号が抽出される。また、すべての系列の受信信号に対して、第１成分＋第２成分＋第３成分＋第４成分の演算を行えば、受信装置において、第２の系列に対する所望信号が抽出される。また、すべての系列の受信信号に対して、第１成分−第２成分−第３成分＋第４成分の演算を行えば、受信装置において、第３の系列に対する所望信号が抽出される。また、すべての系列の受信信号に対して、第１成分＋第２成分−第３成分−第４成分の演算を行えば、受信装置において、第４の系列に対する所望信号が抽出される。これらは、所定の成分の符号の組合せが系列間において直交関係を有していることに相当する。なお、加減処理は、ベクトル演算にて実行される。
【００３３】
「Ｌ−ＬＴＦ」から「ＨＴ−ＳＩＧ」等までの部分には、従来システムと同様に、「５２」サブキャリアが使用される。なお、「５２」サブキャリアのうちの「４」サブキャリアがパイロット信号に相当する。一方、「ＨＴ−ＬＴＦ」等以降の部分は、「５６」サブキャリアを使用する。
【００３４】
図３（ａ）において、「ＨＴ−ＬＴＦ」の符号は、以下のように規定されている。第１の系列の先頭から順に、符号は「＋」、「−」、「＋」、「−」の順に並べられ、第２の系列の先頭から順に、符号は「＋」、「＋」、「＋」、「＋」の順に並べられ、第３の系列の先頭から順に、符号は「＋」、「−」、「−」、「＋」の順に並べられ、第４の系列の先頭から順に、符号は「＋」、「＋」、「−」、「−」の順に並べられている。しかしながら、符号は、以下のように規定されていてもよい。第１の系列の先頭から順に、符号は「＋」、「−」、「＋」、「＋」の順に並べられ、第２の系列の先頭から順に、符号は「＋」、「＋」、「−」、「＋」の順に並べられ、第３の系列の先頭から順に、符号は「＋」、「＋」、「＋」、「−」の順に並べられ、第４の系列の先頭から順に、符号は「−」、「＋」、「＋」、「＋」の順に並べられる。このような符号であっても、所定の成分の符号の組合せが系列間において直交関係を有していることに相当する。
【００３５】
図３（ｂ）は、図３（ａ）の第１の系列から第３の系列に相当する。図３（ｃ）は、図３（ａ）に示したパケットフォーマットのうちの第１系列と第２系列に類似している。ここで、図３（ｂ）の「ＨＴ−ＬＴＦ」の配置が、図３（ａ）の「ＨＴ−ＬＴＦ」の配置と異なっている。すなわち、ＨＴ−ＬＴＦには、第１成分と第２成分だけが含まれている。第１の系列において、ＨＴ−ＬＴＦが、先頭から「ＨＴ−ＬＴＦ」、「ＨＴ−ＬＴＦ」の順に配置され、第２の系列において、ＨＴ−ＬＴＦが、先頭から「ＨＴ−ＬＴＦ」、「−ＨＴ−ＬＴＦ」の順に配置されている。すべての系列の受信信号に対して、第１成分＋第２成分の演算を行えば、受信装置において、第１の系列に対する所望信号が抽出される。また、すべての系列の受信信号に対して、第１成分−第２成分の演算を行えば、受信装置において、第２の系列に対する所望信号が抽出される。これらも、前述のごとく、直交関係といえる。
【００３６】
図４（ａ）−（ｄ）は、通信システム１００におけるトレーニング信号用のパケットフォーマットを示す。図４（ａ）−（ｄ）は、図３（ｂ）−（ｃ）およびデータがひとつの系列に配置される場合でのパケット信号に対するトレーニング信号である。なお、以下では説明を明瞭にするために、パケットフォーマットに含まれる「Ｌ−ＳＴＦ」から「ＨＴ−ＳＩＧ」を省略するものとする。すなわち、「ＨＴ−ＳＴＦ」以降の構成が示されている。図４（ａ）は、データ信号が配置される系列（以下、「主系列」という）の数が「３」である場合であり、図４（ｂ）は、主系列の数が「２」場合であり、図４（ｃ）−（ｄ）は、主系列の数が「１」である場合である。すなわち、図４（ａ）では、第１の系列から第３の系列とにデータ信号が配置され、図４（ｂ）では、第１の系列と第２の系列とにデータ信号が配置され、図４（ｃ）−（ｄ）では、第１の系列にデータ信号が配置される。
【００３７】
図４（ａ）の第１の系列から第３の系列のうち、ＨＴ−ＬＴＦに関する配置までは、図３（ｂ）での配置と同一である。しかしながら、その後段において、第１の系列から第３の系列には、空白の期間が設けられる。一方、第１の系列から第３の系列での空白の期間において、第４の系列には、ＨＴ−ＬＴＦが配置される。また、第４の系列に配置されたＨＴ−ＬＴＦに続いて、第１の系列から第３の系列には、データが配置される。なお、第４の系列において、ひとつのＨＴ−ＬＴＦが配置される。
【００３８】
このような配置によって、「ＨＴ−ＳＴＦ」が配置された系列の数が、データ信号が配置された系列の数に等しくなるので、受信装置において「ＨＴ−ＳＴＦ」によって設定された増幅率に含まれる誤差が小さくなり、データ信号の受信特性の悪化を防止できる。また、第４系列に配置された「ＨＴ−ＬＴＦ」は、ひとつの系列に配置されているだけなので、受信装置において第４系列に配置された「ＨＴ−ＬＴＦ」が、ＡＧＣによって歪みが生じるほど増幅される状況を低減できる。そのため、伝送路推定の精度の悪化を防止できる。
【００３９】
図４（ｂ）の第１の系列と第２の系列のうち、ＨＴ−ＬＴＦに関する配置までは、図３（ｃ）での配置と同一である。しかしながら、その後段において、第１の系列と第２の系列には、空白の期間が設けられる。一方、第１の系列と第２の系列での空白の期間において、第３の系列と第４の系列には、ＨＴ−ＬＴＦが配置される。また、第３の系列と第４の系列に配置されたＨＴ−ＬＴＦに続いて、第１の系列と第２の系列には、データが配置される。なお、第３の系列と第４の系列でのＨＴ−ＬＴＦの配置は、図３（ｃ）での配置と同一である。
【００４０】
ここで、タイミングシフト量について、「０ｎｓ」、「−４００ｎｓ」、「−２００ｎｓ」、「−６００ｎｓ」の順に優先度が低くなるように、優先度が規定されているものとする。すなわち、「０ｎｓ」の優先度が最も高く、「−６００ｎｓ」の優先度が最も低くなるように規定されている。そのため、第１の系列と第２の系列では、タイミングシフト量として、「０ｎｓ」、「−４００ｎｓ」の値が使用されている。一方、第３の系列と第４の系列でもタイミングシフト量として「０ｎｓ」、「−４００ｎｓ」の値が使用されている。その結果、第１の系列での「ＨＴ−ＬＴＦ」、「ＨＴ−ＬＴＦ」の組合せが第３の系列でも使用され、第２の系列での「ＨＴ−ＬＴＦ（−４００ｎｓ）」、「−ＨＴ−ＬＴＦ（−４００ｎｓ）」の組合せが第４の系列でも使用されるので、処理が簡易になる。
【００４１】
図４（ｃ）の第１の系列のうち、ＨＴ−ＬＴＦに関する配置までは、図４（ｂ）の第１の系列に対する配置と同等である。ここで、ふたつの「ＨＴ−ＬＴＦ」が配置される。しかしながら、その後段において、第１の系列には、空白の期間が設けられる。一方、第１の系列での空白の期間において、第２の系列から第４の系列には、ＨＴ−ＬＴＦが配置される。また、第２の系列から第４の系列に配置されたＨＴ−ＬＴＦに続いて、第１の系列には、データが配置される。ここで、第２の系列から第３の系列に配置されるＨＴ−ＬＴＦの配置は、図３（ｂ）での配置に類似する。
【００４２】
図４（ｄ）は、図４（ｃ）と同様に構成されるが、図４（ｄ）における「ＨＴ−ＬＴＦ」の符号の組合せが、図４（ｃ）のものと異なる。ここで、「ＨＴ−ＬＴＦ」の符号の組合せは、系列間において直交関係が成立するように規定されている。また、図４（ｄ）では、複数の系列のそれぞれに対し、「ＨＴ−ＬＴＦ」の符号の組合せが固定されるように規定されている。ここで、図４（ｄ）では、図４（ｃ）と同様に、第２の系列から第４の系列であっても、優先度の高い「０ｎｓ」、「−４００ｎｓ」、「−２００ｎｓ」が使用される。
【００４３】
図４（ａ）での第４の系列、すなわちデータが配置されていない系列（以下、「副系列」という）には、ひとつの「ＨＴ−ＬＴＦ」が配置される。また、図４（ｂ）での第３の系列および第４の系列には、ふたつの「ＨＴ−ＬＴＦ」が配置される。さらに、図４（ｃ）−（ｄ）での第２の系列から第４の系列には、４つの「ＨＴ−ＬＴＦ」が配置される。これらを比較すると、図４（ｃ）−（ｄ）での副系列に配置された「ＨＴ−ＬＴＦ」の長さが最も長くなる。すなわち、トレーニング信号を生成すべきパケット信号での主系列の数が大きくなると、副系列の長さが短くなり、伝送効率が向上する。
【００４４】
図５（ａ）−（ｄ）は、通信システム１００における別のトレーニング信号用のパケットフォーマットを示す。図５（ａ）−（ｄ）は、図４（ａ）−（ｄ）にそれぞれ対応する。図５（ａ）−（ｄ）では、複数の系列のそれぞれにタイミングシフト量が対応づけられながら規定されている。ここで、第１の系列に対してタイミングシフト量「０ｎｓ」が規定され、第２の系列に対してタイミングシフト量「−４００ｎｓ」が規定され、第３の系列に対してタイミングシフト量「−２００ｎｓ」が規定され、第４の系列に対してタイミングシフト量「−６００ｎｓ」が規定されている。
【００４５】
そのため、図５（ａ）では、図４（ａ）における第４の系列でのタイミングシフト量「０ｎｓ」の代わりに、「−６００ｎｓ」が使用される。また、図５（ｂ）では、図４（ｂ）における第３の系列と第４の系列でのタイミングシフト量「０ｎｓ」、「−４００ｎｓ」の代わりに、「−２００ｎｓ」、「−６００ｎｓ」が使用される。一方、図５（ｃ）−（ｄ）では、図４（ｃ）−（ｄ）における第２の系列から第４の系列でのタイミングシフト量「０ｎｓ」、「−４００ｎｓ」、「−２００ｎｓ」の代わりに、「−４００ｎｓ」、「−２００ｎｓ」、「−６００ｎｓ」が使用される。
【００４６】
図５（ｄ）は、図５（ｃ）と同様に構成されるが、図５（ｄ）における「ＨＴ−ＬＴＦ」の符号の組合せが、図５（ｃ）のものと異なる。「ＨＴ−ＬＴＦ」の符号の組合せには予め優先度が設けられている。すなわち、図３（ａ）の第１の系列における符号の組合せの優先度が最も高く、第４の系列における符号の組合せの優先度が最も低くなるような規定がなされている。また、データ信号が配置される系列に対して、優先度の高い符号の組合せから順に符号の組合せを使用し、データ信号が配置されない系列に対しても、優先度の高い符号の組合せから順に符号の組合せを使用する。このように、符号の組合せを同じにしておけば、受信装置が＋−の演算を行って各成分を取り出す場合に、データが配置されない系列の「ＨＴ−ＬＴＦ」の部分に対する伝送路特性の計算と、データが配置される系列の「ＨＴ−ＬＴＦ」の部分に対する伝送路特性の計算に対して、共通の回路を使用できる。
【００４７】
図６は、通信システム１００において最終的に送信されるパケット信号のパケットフォーマットを示す。図６は、図４（ｂ）と図５（ｂ）のパケット信号を変形させた場合に相当する。図４（ｂ）と図５（ｂ）の第１の系列と第２の系列に配置された「ＨＴ−ＳＴＦ」と「ＨＴ−ＬＴＦ」に、後述の直交行列による演算がなされる。その結果、「ＨＴ−ＳＴＦ１」から「ＨＴ−ＳＴＦ４」が生成される。「ＨＴ−ＬＴＦ」についても同様である。さらに、第１の系列から第４の系列のそれぞれに対して、タイミングシフト量「０ｎｓ」、「−５０ｎｓ」、「−１００ｎｓ」、「−１５０ｎｓ」によるＣＤＤが実行される。なお、２度目のＣＤＤでのタイミングシフト量の絶対値は、ＨＴ−ＳＴＦおよびＨＴ−ＬＴＦに対して１度目になされたＣＤＤでのタイミングシフト量の絶対値よりも小さくなるように設定される。第３の系列と第４の系列に配置された「ＨＴ−ＬＴＦ」と、第１の系列の「データ１」等に対しても同様の処理が実行される。
【００４８】
図７は、第１無線装置１０ａの構成を示す。第１無線装置１０ａは、無線部２０と総称される第１無線部２０ａ、第２無線部２０ｂ、第４無線部２０ｄ、ベースバンド処理部２２、変復調部２４、ＩＦ部２６、制御部３０を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第４周波数領域信号２０２ｄを含む。なお、第２無線装置１０ｂは、第１無線装置１０ａと同様に構成される。そのため、以下の説明において、受信動作に関する説明は、第２無線装置１０ｂでの処理に対応し、送信動作に関する説明は、第１無線装置１０ａでの処理に対応する。
【００４９】
無線部２０は、受信動作として、アンテナ１２によって受信した無線周波数の信号を周波数変換し、ベースバンドの信号を導出する。無線部２０は、ベースバンドの信号を時間領域信号２００としてベースバンド処理部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、ＡＧＣやＡ／Ｄ変換部も含まれる。ＡＧＣは、「Ｌ−ＳＴＦ」、「ＨＴ−ＳＴＦ」において増幅率を設定する。
【００５０】
無線部２０は、送信動作として、ベースバンド処理部２２からのベースバンドの信号を周波数変換し、無線周波数の信号を導出する。ここで、ベースバンド処理部２２からのベースバンドの信号も時間領域信号２００として示す。無線部２０は、無線周波数の信号をアンテナ１２に出力する。すなわち、無線部２０は、無線周波数のパケット信号をアンテナ１２から送信する。また、ＰＡ（Ｐｏｗｅｒ  Ａｍｐｌｉｆｉｅｒ）、Ｄ／Ａ変換部も含まれる。時間領域信号２００は、時間領域に変換されたマルチキャリア信号であり、デジタル信号であるものとする。
【００５１】
ベースバンド処理部２２は、受信動作として、複数の時間領域信号２００をそれぞれ周波数領域に変換し、周波数領域の信号に対してアダプティブアレイ信号処理を実行する。ベースバンド処理部２２は、アダプティブアレイ信号処理の結果を周波数領域信号２０２として出力する。ひとつの周波数領域信号２０２が、送信された複数の系列のそれぞれに相当する。また、ベースバンド処理部２２は、送信動作として、変復調部２４から、周波数領域の信号としての周波数領域信号２０２を入力し、周波数領域の信号を時間領域に変換し、複数のアンテナ１２のそれぞれに対応づけながら時間領域信号２００として出力する。
【００５２】
送信処理において使用すべきアンテナ１２の数は、制御部３０によって指定されるものとする。ここで、周波数領域の信号である周波数領域信号２０２は、図１のごとく、複数のサブキャリアの成分を含むものとする。図を明瞭にするために、周波数領域の信号は、サブキャリア番号の順番に並べられて、シリアル信号を形成しているものとする。
【００５３】
図８は、周波数領域の信号の構成を示す。ここで、図１に示したサブキャリア番号「−２８」から「２８」のひとつの組合せを「ＯＦＤＭシンボル」というものとする。「ｉ」番目のＯＦＤＭシンボルは、サブキャリア番号「１」から「２８」、サブキャリア番号「−２８」から「−１」の順番にサブキャリア成分を並べているものとする。また、「ｉ」番目のＯＦＤＭシンボルの前に、「ｉ−１」番目のＯＦＤＭシンボルが配置され、「ｉ」番目のＯＦＤＭシンボルの後ろに、「ｉ＋１」番目のＯＦＤＭシンボルが配置されているものとする。なお、図３（ａ）等の「Ｌ−ＳＩＧ」等の部分では、ひとつの「ＯＦＤＭシンボル」に対して、サブキャリア番号「−２６」から「２６」の組合せが使用される。
【００５４】
図７に戻る。また、ベースバンド処理部２２は、図３（ａ）−（ｃ）、図４（ａ）−（ｄ）、図５（ａ）−（ｄ）のパケットフォーマットに対応したパケット信号を生成するために、ＣＤＤを実行する。さらに、ベースバンド処理部２２は、図６のパケットフォーマットに示したパケット信号への変形を実行するために、ステアリング行列の乗算を実行する。これらの処理の詳細は、後述する。
【００５５】
変復調部２４は、受信処理として、ベースバンド処理部２２からの周波数領域信号２０２に対して、復調とデインタリーブを実行する。なお、復調は、サブキャリア単位でなされる。変復調部２４は、復調した信号をＩＦ部２６に出力する。また、変復調部２４は、送信処理として、インタリーブと変調を実行する。変復調部２４は、変調した信号を周波数領域信号２０２としてベースバンド処理部２２に出力する。送信処理の際に、変調方式は、制御部３０によって指定されるものとする。
【００５６】
ＩＦ部２６は、受信処理として、複数の変復調部２４からの信号を合成し、ひとつのデータストリームを形成する。さらに、ひとつのデータストリームを復号する。ＩＦ部２６は、復号したデータストリームを出力する。また、ＩＦ部２６は、送信処理として、ひとつのデータストリームを入力し、符号化した後に、これを分離する。さらに、ＩＦ部２６は、分離したデータを複数の変復調部２４に出力する。送信処理の際に、符号化率は、制御部３０によって指定されるものとする。ここで、符号化の一例は、たたみ込み符号化であり、復号の一例は、ビタビ復号であるとする。
【００５７】
制御部３０は、第１無線装置１０ａのタイミング等を制御する。また、制御部３０は、複数の端末装置を多重化する際に、ＣＳＭＡを実行する。ＣＳＭＡは、公知の技術であるので、ここでは、説明を省略する。また、ＣＳＭＡに加えて、制御部３０は、割当モードを実行する。当該割当モードは、一定の期間において実行される。なお、割当モードを実行する前に、制御部３０は、ベースバンド処理部２２等を介して、複数の端末装置に割当モードの開始を通知する。通知を受けつける端末装置には、割当モードに含まれる端末装置に加えて、割当モードに含まれない端末装置も含まれる。
【００５８】
割当モードにおいて、制御部３０は、先頭部分にて、送信タイミングの情報と受信タイミングの情報とが含まれたパケット信号（以下、「制御信号」という）をベースバンド処理部２２等に送信させる。また、制御信号に続いて、制御部３０は、複数の端末装置に対してパケット信号をそれぞれ送信させる。すなわち、制御部３０は、複数の端末装置に対して、信号を送信するための部分期間を割り当てる。なお、部分期間は、ひとつの端末装置に対する期間を個別に示してもよいし、複数の端末装置に対する期間を一体的に示してもよいが、ここでは、これらを区別せずに使用する。
【００５９】
さらに、信号を送信するための部分期間に続いて、制御部３０は、複数の端末装置から信号を受信するための部分期間をそれぞれ割り当てる。端末装置は、割り当てられた部分期間において、第１無線装置１０ａにパケット信号を送信する。すなわち、複数の端末装置から複数のパケットが連続して送信される。制御部３０は、複数のパケット信号をベースバンド処理部２２等に受信させる。ここで、制御部３０は、隣接したパケット信号の間隔を「Ｔ」に設定する。間隔「Ｔ」は、キャリアセンスのために必要とされる期間よりも短い期間であるとする。すなわち、一般的に端末装置は、間隔「Ｔ」よりも長い期間においてキャリアセンスを実行するので、間隔「Ｔ」の間にパケット信号の送信を開始できない。その結果、第１無線装置１０ａは、複数のパケット信号を連続して送信でき、これは、複数のパケット信号を送信すべき期間にわたって当該帯域を占有することに相当する。
【００６０】
以上の動作を実行するために、制御部３０は、一定の期間を複数の部分期間に分割し、複数の部分期間のそれぞれを複数の端末装置に対応づけながら割り当てる。その際、制御部３０は、データにレート要求信号を含めるべき端末装置に対して、複数の部分期間のうちの前方の部分期間を割り当てる。なお、前述のごとく、レート要求信号とは、端末装置との間の無線伝送路に適したデータレートについての情報を当該端末装置に提供させるための要求信号といえる。
【００６１】
制御部３０は、変復調部２４、ベースバンド処理部２２を介して、割り当てた複数の部分期間のそれぞれに対するパケット信号を生成する。その際、制御部３０は、複数の部分期間のそれぞれに対して、対応づけられた端末装置に送信すべきデータを配置させる。また、必要に応じてデータの中にレート要求信号を含ませる。レート要求信号を送信すべき端末装置は、複数の端末装置のうちの少なくともひとつである。なお、制御部３０は、ひとつのデータをひとつのパケット信号に配置させながら、連続的に送信すべき複数のパケット信号を生成する。ここで、制御部３０は、データの中にレート要求信号を含めるべきパケット信号にトレーニング信号を配置させる。その結果、連続的に送信すべき複数のパケット信号の前方の部分に、トレーニング信号が配置される。
【００６２】
なお、制御部３０は、変復調部２４、ベースバンド処理部２２を介して、送信タイミングの期間の前段に送信すべき制御信号も生成する。制御信号には、複数の端末装置のそれぞれに割り当てた送信タイミングと受信タイミングが含まれている。なお、制御信号には、トレーニング信号を送信すべき送信タイミングが、端末装置単位に別々の領域に配置されている。ここでは、説明を簡単にするために、制御部３０は、送信タイミングを指定した端末装置の順番に、端末装置の受信タイミングを指定する。端末装置は、制御信号を受信すると、制御信号に含まれた情報から、パケット信号を受信すべきタイミングと送信すべきタイミングとを理解する。
【００６３】
制御部３０は、無線部２０、ベースバンド処理部２２、変復調部２４に対して、生成したパケット信号を送信させる。また、パケット信号の送信後に複数の端末装置からのパケット信号を受信させる。その際、制御部３０は、レート要求信号を含めたパケット信号に対応した端末装置から、レート情報を受けつける。
【００６４】
ここで、トレーニング信号の生成について説明する。制御部３０は、ＩＦ部２６、変復調部２４、ベースバンド処理部２２と協同しながら、図３（ａ）−（ｃ）、図４（ａ）−（ｄ）、図５（ａ）−（ｄ）、図６のようなパケットフォーマットのパケット信号を生成し、生成したパケット信号を送信するための制御を実行する。ここでは、図４（ｂ）、図５（ｂ）に示されたパケットフォーマットを生成するための処理を中心に説明するが、それ以外のパケットフォーマットについても、同様の処理が実行される。
【００６５】
ＩＦ部２６において、複数の系列のうちの少なくともひとつに配置すべきデータが入力される。ここでは、図４（ｂ）、図５（ｂ）のごとく、ふたつの系列に配置すべきデータが入力される。制御部３０は、ベースバンド処理部２２に対して、入力したデータが配置された系列、すなわち第１の系列と第２の系列に配置される「ＨＴ−ＳＴＦ」と、「ＨＴ−ＳＴＦ」の後段において複数の系列に配置される「ＨＴ−ＬＴＦ」と、第１の系列と第２の系列に配置されるデータとから、パケット信号を生成するように指示する。なお、制御部３０は、図３（ａ）−（ｃ）のごとく、ＨＴ−ＳＴＦの前段に、「Ｌ−ＳＴＦ」、「Ｌ−ＬＴＦ」、「Ｌ−ＳＩＧ」、「ＨＴ−ＳＩＧ」が配置されるように、ベースバンド処理部２２に指示を出力する。
【００６６】
ここで、図４（ｂ）、図５（ｂ）に記載のごとく、ひとつの系列に対してふたつの「ＨＴ−ＬＴＦ」が配置されている。すなわち、「ＨＴ−ＬＴＦ」の全体は、時間領域において「ＨＴ−ＬＴＦ」が繰り返されることによって形成されている。また、「ＨＴ−ＬＴＦ」の符号の組合せは、主系列間あるいは副系列間での直交関係が成立するように規定されている。その結果、前述のごとく、主系列内において、第１成分と第２成分とを加算すれば、第１の系列に対するＨＴ−ＬＴＦが抽出される。また、主系列内において、第１成分から第２成分を減算すれば、第２の系列に対するＨＴ−ＬＴＦが抽出される。
【００６７】
なお、ひとつの系列に配置される「ＨＴ−ＬＴＦ」の数は、直交関係を成立させるために必要な数によって定められる。そのため、直交関係を成立させるべき系列の数が「２」であれば、ひとつの系列当たりの「ＨＴ−ＬＴＦ」の数は「２」になる。一方、直交関係を成立させるべき系列の数が「３」あるいは「４」であれば、ひとつの系列当たりの「ＨＴ−ＬＴＦ」の数は「４」になる。
【００６８】
制御部３０は、ベースバンド処理部２２に対して、ＨＴ−ＬＴＦ等にＣＤＤを実行させる。なお、ＣＤＤは、ひとつの系列に配置されたＨＴ−ＬＴＦを基準として、他の系列に配置されたＨＴ−ＬＴＦに、ＨＴ−ＬＴＦ内での循環的なタイミングシフトを実行させることに相当する。制御部３０は、タイミングシフト量に予め優先度を設けている。ここでは、前述のごとく、タイミングシフト量「０ｎｓ」の優先度を最も高く設定し、それに続いて「−４００ｎｓ」、「−２００ｎｓ」、「−６００ｎｓ」の順に低くなっていくような優先度を設定する。
【００６９】
さらに、制御部３０は、ベースバンド処理部２２に、主系列に対して、優先度の高いタイミングシフト量から順にタイミングシフト量を使用させる。例えば、図４（ｂ）の場合、第１の系列に対して「０ｎｓ」を使用させ、第２の系列に対して「−４００ｎｓ」を使用させる。また、制御部３０は、副系列に対しても、優先度の高いタイミングシフト量から順にタイミングシフト量を使用させる。例えば、図４（ｂ）の場合、第３の系列に対して「０ｎｓ」を使用させ、第４の系列に対して「−４００ｎｓ」を使用させる。以上の処理によって、図４（ｂ）に示したパケットフォーマットのパケット信号が生成される。
【００７０】
一方、これとは別に、複数の系列に対してそれぞれ異なった値のタイミングシフト量が設定されていてもよい。例えば、第１の系列のタイミングシフト量として、「０ｎｓ」が設定され、第２の系列のタイミングシフト量として、「−４００ｎｓ」が設定され、第３の系列のタイミングシフト量として、「−２００ｎｓ」が設定され、第４の系列のタイミングシフト量として、「−６００ｎｓ」が設定される。以上の処理によって、図５（ｂ）に示したパケットフォーマットのパケット信号が生成される。
【００７１】
以上の処理によって、図４（ａ）−（ｄ）、図５（ａ）−（ｄ）のようなパケットフォーマットのパケット信号が生成された後、制御部３０は、ベースバンド処理部２２に、これらのようなパケット信号を変形させる。また制御部３０は、変形したパケット信号を無線部２０に送信させる。すなわち、制御部３０は、図４（ｂ）、図５（ｂ）に示したパケットフォーマットを図６に示したパケットフォーマットに変形させる。ベースバンド処理部２２は、系列の数を複数の系列の数まで拡張した後に、拡張された系列に対して、ＣＤＤを実行する。
【００７２】
一方、レート要求信号を受信した端末装置は、パケット信号に含まれたＨＴ−ＬＴＦから、送信装置との間の伝送路特性を推定する。伝送路特性は、例えば、受信したパケット信号に含まれたＨＴ−ＬＴＦと、受信装置に予め記憶されたＨＴ−ＬＴＦとの相関を計算することによって導出される。また、伝送路特性は、図２のごとく、経路あるいは系列を単位にして導出される。そのため、伝送路特性は、一般的に行列として示される。さらに、端末装置は、導出した伝送路特性からレート情報を生成して、当該レート情報を基地局装置に通知する。レート情報を生成するために、端末装置は、予め記憶したしきい値と伝送路特性の値とを比較してもよい。基地局装置の制御部３０は、受けつけたレート情報をもとに、変復調部２４に対して変調方式を設定させる。また、制御部３０は、受けつけたレート情報をもとに、ベースバンド処理部２２に対して系列の数を設定させ、ＩＦ部２６に対して符号化率を設定させる。
【００７３】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００７４】
図９は、制御部３０におけるタイミングの割当の概要を説明するための図である。図は、制御部３０によって割り当てられたタイミングを示しており、第１無線装置１０ａから第４無線装置１０ｄによるパケット信号の送信タイミングが示されている。なお、第２無線装置１０ｂから第４無線装置１０ｄによるパケット信号の送信タイミングは、第１無線装置１０ａでのパケット信号の受信タイミングとして示される。ここでは、第１無線装置１０ａでの処理を中心にして、「制御用タイミング期間」、「送信用タイミング期間」、「受信用タイミング期間」を順番に配置する。また、第１無線装置１０ａが基地局装置に相当し、第２無線装置１０ｂから第４無線装置１０ｄが端末装置に相当する。
【００７５】
制御部３０は、制御用タイミング期間において、制御信号を送信する。また、制御部３０は、送信用タイミング期間において、「パケット信号１」から「パケット信号３」を送信する。なお、前述のレート要求信号は、「パケット信号１」に含まれているものとする。そのため、「パケット信号１」は、図４（ａ）−（ｄ）、図５（ａ）−（ｄ）に示されるバーストフォーマットを有している。また、「制御信号」、「パケット信号２」、「パケット信号３」は、図３（ａ）−（ｃ）に示されるパケット信号を有している。
【００７６】
制御部３０は、受信用タイミング期間において、第２無線装置１０ｂから第４無線装置１０ｄのそれぞれに対して、受信タイミングを割り当てる。すなわち、制御部３０は、受信用タイミング期間の先頭に、第２無線装置１０ｂからのパケット信号である「パケット信号１’」を割り当てる。これに続いて、制御部３０は、第３無線装置１０ｃからのパケット信号である「パケット信号２’」を割り当てる。最後に、制御部３０は、第４無線装置１０ｄからのパケット信号である「パケット信号３’」を割り当てる。なお、「パケット信号１」には、レート情報が含まれる。
【００７７】
第１無線装置１０ａによって送信される「パケット信号１」から「パケット信号３」は、一般的に、第２無線装置１０ｂから第４無線装置１０ｄによってそれぞれ送信される「パケット信号１’」から「パケット信号３’」よりも長くなっている。そのため、「パケット信号１」を受信してから「パケット信号１’」を送信するまでの期間は、「パケット信号２」を受信してから「パケット信号２’」を送信するまでの期間等よりも長くなっている。その結果、パケット信号１のごとく、前方に配置されるパケット信号にレート要求信号を含めることによって、送信のタイミングまでにレート情報が生成できる可能性を向上できる。
【００７８】
図１０は、ベースバンド処理部２２の構成を示す。ベースバンド処理部２２は、受信用処理部５０、送信用処理部５２を含む。受信用処理部５０は、ベースバンド処理部２２における動作のうち、受信動作に対応する部分を実行する。すなわち、受信用処理部５０は、時間領域信号２００に対してアダプティブアレイ信号処理を実行しており、そのために時間領域信号２００のウエイトベクトルの導出を実行する。また、受信用処理部５０は、アレイ合成した結果を周波数領域信号２０２として出力する。なお、受信用処理部５０は、周波数領域信号２０２をもとにレート情報を生成してもよい。レート情報の生成については、前述のごとく公知の技術でよいので、説明を省略する。
【００７９】
送信用処理部５２は、ベースバンド処理部２２における動作のうち、送信動作に対応する部分を実行する。すなわち、受信用処理部５０は、周波数領域信号２０２を変換することによって、時間領域信号２００を生成する。また、送信用処理部５２は、複数の系列を複数のアンテナ１２にそれぞれ対応づける。さらに、送信用処理部５２は、図３（ａ）−（ｃ）、図４（ａ）−（ｄ）、図５（ａ）−（ｄ）に示されたようなＣＤＤを実行し、図６に示されたようなステアリング行列の演算を実行する。なお、送信用処理部５２は、最終的に時間領域信号２００を出力する。
【００８０】
図１１は、受信用処理部５０の構成を示す。受信用処理部５０は、ＦＦＴ部７４、ウエイトベクトル導出部７６、合成部８０と総称される第１合成部８０ａ、第２合成部８０ｂ、第３合成部８０ｃ、第４合成部８０ｄを含む。
【００８１】
ＦＦＴ部７４は、時間領域信号２００に対してＦＦＴを実行することによって、時間領域信号２００を周波数領域の値に変換する。ここで、周波数領域の値は、図８のように構成されているものとする。すなわち、ひとつの時間領域信号２００に対する周波数領域の値は、ひとつの信号線にて出力される。
【００８２】
ウエイトベクトル導出部７６は、周波数領域の値から、サブキャリア単位にウエイトベクトルを導出する。なお、ウエイトベクトルは、複数の系列のそれぞれに対応するように導出され、ひとつの系列に対するウエイトベクトルは、アンテナ１２の数に対応した要素をサブキャリア単位に有する。また、複数の系列のそれぞれに対応したウエイトベクトルの導出には、適応アルゴリズムが使用されてもよく、あるいは伝送路特性が使用されてもよいが、これらの処理には、公知の技術が使用されればよいので、ここでは、説明を省略する。なお、ウエイトベクトル導出部７６は、ウエイトを導出する際に、前述のごとく、第１成分−第２成分＋第３成分−第４成分や第１成分＋第２成分等の演算を実行する。最終的に、前述のごとく、サブキャリア、アンテナ１２、系列のそれぞれを単位にして、ウエイトが導出される。
【００８３】
合成部８０は、ＦＦＴ部７４にて変換された周波数領域の値と、ウエイトベクトル導出部７６からのウエイトベクトルとによって、合成を実行する。例えば、ひとつの乗算対象として、ウエイトベクトル導出部７６からのウエイトベクトルのうち、ひとつのサブキャリアに対応したウエイトであって、かつ第１の系列に対応したウエイトが選択される。選択されたウエイトは、アンテナ１２のそれぞれに対応した値を有する。
【００８４】
また、別の乗算対象として、ＦＦＴ部７４にて変換された周波数領域の値のうち、ひとつのサブキャリアに対応した値が選択される。選択された値は、アンテナ１２のそれぞれに対応した値を有する。なお、選択されたウエイトと選択された値は、同一のサブキャリアに対応する。アンテナ１２のそれぞれに対応づけられながら、選択されたウエイトと選択された値が、それぞれ乗算され、乗算結果が加算されることによって、第１の系列のうちのひとつのサブキャリアに対応した値が導出される。第１合成部８０ａでは、以上の処理が他のサブキャリアに対しても実行され、第１の系列に対応したデータが導出される。また、第２合成部８０ｂから第４合成部８０ｄでは、同様の処理によって、第２の系列から第４の系列に対応したデータがそれぞれ導出される。導出された第１の系列から第４の系列は、第１周波数領域信号２０２ａから第４周波数領域信号２０２ｄとしてそれぞれ出力される。
【００８５】
図１２は、送信用処理部５２の構成を示す。送信用処理部５２は、分散部６６、ＩＦＦＴ部６８を含む。分散部６６は、周波数領域信号２０２とアンテナ１２とを対応づける。分散部６６は、図３（ａ）−（ｃ）、図４（ａ）−（ｄ）、図５（ａ）−（ｄ）のパケットフォーマットに対応したパケット信号を生成するために、ＣＤＤを実行する。ＣＤＤは、行列Ｃとして、以下のように実行される。
【数１】
0004657093.tif 000002
ここで、δは、シフト量を示し、ｌは、サブキャリア番号を示している。さらに、行列Ｃと系列との乗算は、サブキャリアを単位にして実行される。すなわち、分散部６６は、Ｌ−ＳＴＦ等内での循環的なタイミングシフトを系列単位に実行する。また、タイミングシフト量は、図３（ａ）−（ｃ）、図４（ａ）−（ｄ）、図５（ａ）−（ｄ）のごとく設定される。
【００８６】
分散部６６は、図４（ａ）−（ｄ）、図５（ａ）−（ｄ）のごとく生成されたトレーニング信号に対して、ステアリング行列をそれぞれ乗算することによって、トレーニング信号の系列の数を複数の系列の数まで増加させる。ここで、分散部６６は、乗算を実行する前に、入力した信号の次数を複数の系列の数まで拡張する。図４（ｂ）および図５（ｂ）の場合、第１の系列と第２の系列に配置された「ＨＴ−ＳＴＦ」等が入力されるので、入力した信号の数は、「２」であり、ここでは、「Ｎｉｎ」によって代表させる。
【００８７】
そのため、入力したデータは、「Ｎｉｎ×１」のベクトルによって示される。また、複数の系列の数は、「４」であり、ここでは、「Ｎｏｕｔ」によって代表させる。分散部６６は、入力したデータの次数をＮｉｎからＮｏｕｔに拡張させる。すなわち、「Ｎｉｎ×１」のベクトルを「Ｎｏｕｔ×１」のベクトルに拡張させる。その際、Ｎｉｎ＋１行目からＮｏｕｔ行目までの成分に「０」を挿入する。一方、図４（ｂ）および図５（ｂ）の第３の系列と第４の系列に配置された「ＨＴ−ＬＴＦ」に対して、Ｎｉｎまでの成分が「０」であり、Ｎｉｎ＋１行目からＮｏｕｔ行目までの成分にＨＴ−ＬＴＦ等が挿入されている。
【００８８】
また、ステアリング行列Ｓは、次のように示される。
【数２】
0004657093.tif 000003
ステアリング行列は、「Ｎｏｕｔ×Ｎｏｕｔ」の行列である。また、Ｗは、直交行列であり、「Ｎｏｕｔ×Ｎｏｕｔ」の行列である。直交行列の一例は、ウォルシュ行列である。ここで、ｌは、サブキャリア番号を示しており、ステアリング行列による乗算は、サブキャリアを単位にして実行される。さらに、Ｃは、前述のごとく、ＣＤＤを示す。ここで、ＣＤＤにおけるタイミングシフト量は、複数の系列のそれぞれに対して異なるように規定されている。すなわち、第１の系列に対して「０ｎｓ」、第２の系列に対して「−５０ｎｓ」、第３の系列に対して「−１００ｎｓ」、第４の系列に対して「−１５０ｎｓ」のようにタイミングシフト量が規定される。ＩＦＦＴ部６８は、分散部６６からの信号に対してＩＦＦＴを実行し、時間領域信号２００として出力する。
【００８９】
図１３は、通信システム１００におけるデータレートの設定の手順を示すシーケンス図である。説明の明瞭化のために、図９の第１無線装置１０ａと第２無線装置１０ｂとの間においてデータレートを設定する手順が図１３に示されているが、他の無線装置１０に対しても同様の処理が実行されてもよい。第１無線装置１０ａは、第２無線装置１０ｂに対して、レート要求信号が含まれたトレーニング信号を送信する（Ｓ４０）。第２無線装置１０ｂは、トレーニング信号にもとづいて、伝送路推定を行う（Ｓ４２）。第２無線装置１０ｂは、推定した伝送路にもとづいて、レート情報を更新する（Ｓ４４）。ここで、レート情報の更新については、説明を省略する。第２無線装置１０ｂは、第１無線装置１０ａに対して、レート情報を送信する（Ｓ４６）。第１無線装置１０ａは、受けつけたレート情報を参照しながら、データレートを設定する（Ｓ４８）。
【００９０】
図１４は、第１無線装置１０ａにおけるデータレートの設定の手順を示すフローチャートである。図１４は、図１３での第１無線装置１０ａの動作に対応する。ベースバンド処理部２２は、トレーニング信号のフォーマットにて、レート要求信号を送信する（Ｓ５０）。アンテナ１２、無線部２０、ベースバンド処理部２２、変復調部２４を介して、ＩＦ部２６がレート情報を受けつけなければ（Ｓ５２のＮ）、受けつけるまで待ち続ける。一方、ＩＦ部２６が、レート情報を受けつければ（Ｓ５２のＹ）、制御部３０がデータレートの設定を行う（Ｓ５４）。また、レート情報管理部３２は、レート情報を保持する。
【００９１】
以下、変形例を説明する。実施例において、基地局装置は、複数の端末装置に対して複数のパケット信号をそれぞれ送信している。しかしながら、変形例において、基地局装置は、複数の端末装置に対する複数のデータをひとつのパケット信号にまとめ、当該パケット信号を送信する。すなわち、上位レイヤにおいてデータをまとめる動作を実行する。その際、パケット信号には、トレーニング信号が配置されるので、基地局装置から送信されるパケット信号は、図４（ａ）−（ｄ）、図５（ａ）−（ｄ）のパケットフォーマットを有しており、「データ１」等に複数の端末装置に対するデータが含まれている。なお、変形例に係る第１無線装置１０ａは、図７に示された第１無線装置１０ａと同じタイプの構成にて示される。
【００９２】
図１５は、制御部３０におけるタイミングの別の割当の概要を説明するための図である。制御部３０は、複数のデータ信号をひとつのパケット信号に配置させることによって、少なくともひとつのパケット信号を生成する。図１５は、図９と同様に示される。しかしながら、第１無線装置１０ａは、送信用タイミング期間において、「パケット信号」を送信する。パケット信号には、第２無線装置１０ｂから第４無線装置１０ｄに送信すべきデータが含まれる。ここで、第２無線装置１０ｂに送信すべきデータにレート要求信号が含まれている場合、制御部３０は、データの前方の部分に第２無線装置１０ｂに送信すべきデータを配置する。
【００９３】
本発明の実施例によれば、送信用タイミング期間のうちの前方に、レート要求信号を送信すべき端末装置を配置させるので、当該端末装置がレート要求信号を受信してからレート情報を生成するまでの期間を長くできる。また、レート要求信号を受信してからレート情報を生成するまでの期間が長くなるので、指示されたタイミングまでにレート情報を生成できる可能性を向上できる。また、端末装置の処理速度が遅くても、指示されたタイミングまでにレート情報を生成できる可能性を向上できる。また、指示されたタイミングまでにレート情報を生成できる可能性が向上するので、基地局装置は、レート情報を直ちに受信できる。また、レート情報を直ちに受信するので、処理遅延を短縮できる。また、複数のパケット信号を連続的に送信する場合であっても、レート情報の受信確率を向上できる。また、少なくともひとつのパケット信号に複数の端末装置に対するデータを含ませながら送信する場合であっても、レート情報の受信確率を向上できる。また、レート要求信号に組合せながらトレーニング信号を送信するので、レート情報の精度を向上できる。
【００９４】
また、ＨＴ−ＳＴＦとＨＴ−ＬＴＦとの強度の差が小さくなるので、ＨＴ−ＳＴＦに対して導出された増幅率をＨＴ−ＬＴＦに適した値に近くできる。また、ＨＴ−ＳＴＦに対して導出された増幅率がＨＴ−ＬＴＦに適した値に近くなるので、ＨＴ−ＬＴＦをもとにした伝送路推定の精度を向上できる。また、伝送路推定の精度が向上するので、レート情報の精度を向上できる。
【００９５】
また、トレーニング信号を生成する際に、ＨＴ−ＳＴＦが配置される系列の数と、データが配置される系列の数とを同一の数にするので、ＨＴ−ＳＴＦによって設定された利得がデータに対応し、データの受信特性の悪化を抑制できる。また、タイミングシフト量に優先度を規定し、複数のグループのそれぞれに対して、高い優先度から順に使用することによって、同一のタイミングシフト量を多く使用できる。また、同一のタイミングシフト量を多く使用することによって、処理を簡易にできる。また、複数の系列の数を「２」とし、データが配置される系列の数を「１」とする場合、受信装置は、ＨＴ−ＬＴＦの受信状況に応じて、複数の系列のいずれかにデータが配置されるべきかを送信装置に指示できる。すなわち、送信ダイバーシチを実行できる。
【００９６】
また、複数の系列に配置されたＨＴ−ＬＴＦのそれぞれに対するタイミングシフト量は同一の値であるので、データを配置した系列が変更されても、受信装置において容易に対応できる。また、複数の系列のそれぞれに対して異なったタイミングシフト量を設定するので、均一的に処理を実行できる。また、均一的に処理を実行できるので、処理を簡易にできる。また、次に続くパケット信号において、データが配置される系列の数が増加する場合であっても、増加される系列に対するＨＴ−ＬＴＦは、同一のタイミングシフト量にて既に送信されているので、受信装置は、既に導出したタイミング等を使用できる。また、既に導出したタイミング等を使用できるので、受信装置は、データが配置された系列の数の増加に容易に対応できる。
【００９７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００９８】
本発明の実施例において、複数の系列の数が「４」である場合を説明した。しかしながらこれに限らず例えば、複数の系列の数は、「４」より小さくても構わないし、「４」より大きくても構わない。これにあわせて、前者の場合、アンテナ１２の数が「４」より少なくても構わないし、アンテナ１２の数が「４」より大きくても構わない。これらの場合において、ひとつのグループに含まれる系列の数が「２」より大きくてもよく、あるいはグループの数が「２」より大きくてもよい。本変形例によれば、さまざまな系列の数に本発明を適用できる。
【００９９】
本発明の実施例において、トレーニング信号における「ＨＴ−ＬＴＦ」の符号関係として、各成分が直交の関係を有している行列を示している。しかしながらこれに限らず例えば、各成分が直交の関係でなくても、加算や減算のような簡単な演算によって、各所望の成分を取り出すことができるような符号関係を有している行列であればよい。本変形によれば、トレーニング信号における「ＨＴ−ＬＴＦ」の符号として、さまざまな符号関係を使用できる。
【０１００】
本発明の実施例において、制御部３０は、レート要求信号が含まれたパケット信号にトレーニング信号を配置している。しかしながらこれに限らず例えば、制御部３０は、送信すべき複数のパケット信号のうち、少なくともひとつにトレーニング信号を配置していればよい。すなわち、レート要求信号が含まれたパケット信号を受信した端末装置は、他の端末装置の当てのパケット信号に含まれたトレーニング信号をもとにレート情報を生成してもよい。本変形例によれば、レート要求信号を送信すべき端末装置の数が多くても、トレーニング信号が配置されたパケット信号の数を低減できるので、伝送効率を改善できる。つまり、トレーニング信号が配置されたパケット信号が送信されればよい。
【０１０１】
本発明の実施例において、端末装置での受信用処理部５０は、周波数領域信号２０２をもとにレート情報を導出し、基地局装置の制御部３０は、端末装置からレート情報を受けつけている。しかしながらこれに限らず例えば、端末装置の受信用処理部５０は、トレーニング信号をもとに伝送路特性を推定し、基地局装置の制御部３０は、端末装置によって推定された伝送路特性および／またはノイズ量を受けつけてもよい。本変形例によれば、基地局装置は、受けつけた伝送路特性をもとにレート情報を導出できる。また、基地局装置は、受けつけた伝送路特性をもとにビームフォーミングを実行できる。つまり、無線伝送路が変動することによって値が変動するような情報が端末装置から基地局装置に送信されればよい。
【図面の簡単な説明】
【０１０２】
【図１】本発明の実施例に係るマルチキャリア信号のスペクトルを示す図である。
【図２】本発明の実施例に係る通信システムの構成を示す図である。
【図３】図３（ａ）−（ｃ）は、図２の通信システムにおけるパケットフォーマットを示す図である。
【図４】図４（ａ）−（ｄ）は、図２の通信システムにおけるトレーニング信号用のパケットフォーマットを示す図である。
【図５】図５（ａ）−（ｄ）は、図２の通信システムにおける別のトレーニング信号用のパケットフォーマットを示す図である。
【図６】図２の通信システムにおいて最終的に送信されるパケット信号のパケットフォーマットを示す図である。
【図７】図２の第１無線装置の構成を示す図である。
【図８】図７における周波数領域の信号の構成を示す図である。
【図９】図７の制御部におけるタイミングの割当の概要を説明するための図である。
【図１０】図７のベースバンド処理部の構成を示す図である。
【図１１】図１０の受信用処理部の構成を示す図である。
【図１２】図１０の送信用処理部の構成を示す図である。
【図１３】図２の通信システムにおけるデータレートの設定の手順を示すシーケンス図である。
【図１４】図７の第１無線装置におけるデータレートの設定の手順を示すフローチャートである。
【図１５】図７の制御部におけるタイミングの別の割当の概要を説明するための図である。
【符号の説明】
【０１０３】
１０  無線装置、  １２  アンテナ、  １４  アンテナ、  ２０  無線部、  ２２  ベースバンド処理部、  ２４  変復調部、  ２６  ＩＦ部、  ３０  制御部、  １００  通信システム。
【図１】
0004657093.tif 000004
【図２】
0004657093.tif 000005
【図３】
0004657093.tif 000006
【図４】
0004657093.tif 000007
【図５】
0004657093.tif 000008
【図６】
0004657093.tif 000009
【図７】
0004657093.tif 000010
【図８】
0004657093.tif 000011
【図９】
0004657093.tif 000012
【図１０】
0004657093.tif 000013
【図１１】
0004657093.tif 000014
【図１２】
0004657093.tif 000015
【図１３】
0004657093.tif 000016
【図１４】
0004657093.tif 000017
【図１５】
0004657093.tif 000018